(57)【要約】【課題】  ＲＦＩＤリーダライタを内蔵し、ＲＦＩＤを読み書きする情報をタブレット・コンピュータと送受信することができるＲＦＩＤリーダライタ内臓タブレット・ペンを提供する。【解決手段】  ＲＦＩＤリーダライタ機構をタブレット・ペンに内蔵し、タブレット操作のまま持ち替えることなくペン先をＲＦＩＤに向け、情報を読み書きすることができるようペン先付近にＲＦＩＤ用のアンテナを内蔵する。【選択図】  図１
2006195931.tif 000002
【特許請求の範囲】
【請求項１】
タブレットを用いたコンピュータに利用するための入力デバイスにおいて、ペン形状としながらＲＦＩＤ（非接触型ＩＣ）タグ、カード、シール、パネルの情報を読み書きすることができるリーダライタ、もしくは情報を読み取りすることができるリーダの機能を内蔵することを特徴としたＲＦＩＤリーダライタ内臓タブレット・ペン。
【請求項２】
前記ＲＦＩＤタグ、カード、シール、パネルから読み取った情報、もしくはＲＦＩＤタグ、カード、シール、パネルに書き込む情報を、タブレットを経由してコンピュータと送受信することができることを特徴とする請求項１記載のＲＦＩＤリーダライタ内臓タブレット・ペン。
【請求項３】
前記ＲＦＩＤタグ、カード、シール、パネルから読み取った情報、もしくはＲＦＩＤタグ、カード、シール、パネルに書き込む情報を、接続されたケーブルを経由してコンピュータと送受信することができることを特徴とする請求項１記載のＲＦＩＤリーダライタ内臓タブレット・ペン。
【請求項４】
前記ＲＦＩＤタグ、カード、シール、パネルから読み取った情報、もしくはＲＦＩＤタグ、カード、シール、パネルに書き込む情報を、無線方式を経由してコンピュータと送受信することができることを特徴とする請求項１記載のＲＦＩＤリーダライタ内臓タブレット・ペン。
【発明の詳細な説明】
【技術分野】
【０００１】  本発明は、タブレットを用いてコンピュータに情報を入力するためのデバイスとして利用されるタブレット・ペンに関し、特に在庫管理業務などで需要のある棚管理においてバーコードの代替として利用されることの多くなってきたＲＦＩＤ（非接触ＩＣ）タグ、カード、シール、パネルの情報を読み取ること、もしくは書き込むことが可能なＲＦＩＤリーダライタ内臓タブレット・ペンに関する。
【背景技術】
【０００２】  ペン形状を採用したＲＦＩＤのリーダライタとして特許文献１に記載のＲＦＩＤリーダライタが挙げられる。このシステムでは、基板上に回路及びアンテナコイルを実装することにより省スペースなＲＦＩＤリーダライタ機器内部の構成を実現しており、さらに電池によって駆動するためにペン型の筺体のみでＲＦＩＤの読み書きを可能にしている。しかしながらこのシステムは、ＲＦＩＤの読み書きをペン型で実施するための機器構成上の工夫にしか過ぎず、技術の進歩によって解決できる機器の小型化を課題としているにすぎない。【０００３】  他にペン型のデバイスとタッチパネルの組み合わせを提示したものに特許文献２に記載の携帯型端末装置がある。この装置においてペン型のデバイスはＲＦＩＤリーダライタではなくバーコードリーダであることを特徴としている。ペン型のバーコードリーダで読み取った情報を基にデータ処理を行い、そこからもたらされる結果をタッチパネル・コンピュータの画面に表示し、ペン型バーコードリーダを用いて前記画面をタッチして情報処理のオペレーションをスムースに行えるものとしている。また特許文献３に記載の情報処理制御装置も、前記特許文献２と類似した機器の構成によるものである。【０００４】  しかしながらこれら特許文献２、及び特許文献３に記載の装置は、いずれもペン型のデバイスがバーコードリーダであることを特徴としており、ＲＦＩＤの利点を伴うものではない。
【特許文献１】  特開２００４−１０２７２８号公報
【特許文献２】  特開２００１−２９１１２２号公報
【特許文献３】  特開２００４−３０３０２０号公報
【発明の開示】
【発明が解決しようとする課題】
【０００５】  上記、特許文献２もしくは特許文献３に記載の発明を応用する場合、情報の読み取り手段はバーコードだけである。またバーコードは紙などをベースとした印刷物であることが多く、コピーなどを容易く行うことができるため偽造も容易である。さらにバーコードの表面汚れに伴って読み込みの不良や、紙そのものの剥離などによって管理が難しくなることがある。またバーコードは読み込みしかできないことによって管理内容や情報を更新したい場合にはバーコードを張り替える手間が発生していた。【０００６】  本発明は以上のような課題を解決するために成されたものであり、その目的は、ＲＦＩＤ（非接触型ＩＣ）で管理された対象物を迅速に入力し、情報処理するためのシステムを提供することにある。
【課題を解決するための手段】
【０００７】  上記課題を解決するために成された本発明に係るＲＦＩＤ（非接触型ＩＣ）リーダライタ内臓タブレット・ペンは、タブレット・ペンとしての機能を有するとともにＲＦＩＤのリーダライタ機能を併有するものであり、ＲＦＩＤに読み書きすべき情報をタブレット・コンピュータと送受信するための手段を備えることを特徴としている。【０００８】  本発明に係る前記ＲＦＩＤリーダライタ内臓タブレット・ペンにおいて、ペン先付近にＲＦＩＤと通信するためのアンテナ・コイルを内蔵し、タブレット・ペンとしての機能を利用するときの持ち方に変えることなく、ＲＦＩＤにペン先を向けてリードライトすることができるものである。【０００９】  本発明に係る前記ＲＦＩＤリーダライタ内臓タブレット・ペンにおいて、通信用のケーブルでタブレット・コンピュータと接続することによって、ＲＦＩＤからリード（読み取り）した情報、及びライト（書き込み）する情報を、タブレット・コンピュータとの間で送受信することが可能となる。【００１０】  本発明に係る前記ＲＦＩＤリーダライタ内臓タブレット・ペンにおいて、無線通信部を搭載することによって無線通信方式を経由し、ＲＦＩＤからリード（読み取り）した情報、及びライト（書き込み）する情報を、タブレット・コンピュータとの間で送受信することが可能となる。【００１１】  本発明に係る前記ＲＦＩＤリーダライタ内臓タブレット・ペンにおいて、タブレットの通信信号に、ＲＦＩＤからリード（読み取り）した情報、及びライト（書き込み）する情報を乗せ、タブレット・コンピュータとの間で送受信することが可能となる。
【発明の効果】
【００１２】  本発明に係る前記ＲＦＩＤリーダライタ内臓タブレット・ペンにおいて、タブレット・ペンとしての機能に加え、前記ＲＦＩＤリーダライタ内臓タブレット・ペンを持ち替える必要なくペン先をＲＦＩＤに向けることでＲＦＩＤをリード、もしくはライトし、その情報をタブレット・コンピュータと送受信することができる。これによってＲＦＩＤが利用されることの多い商品管理や在庫管理の業務管理システムにおいて、ＲＦＩＤをリード、もしくはライトした情報と連動してタブレット・コンピュータで情報処理を行い、その内容を反映した情報を前記タブレット・コンピュータのタブレット画面に表示し、前記タブレット画面に向けてＲＦＩＤリーダライタ内臓タブレット・ペンのペン先をタッチさせ、タブレット・コンピュータを操作することができる。
【発明を実施するための最良の形態】
【００１３】  図１に本発明の一実施形態であるＲＦＩＤリーダライタ内臓タブレット・ペンの概略構成を示す。本実施形態のＲＦＩＤ対応機能内蔵タブレット・ペンは、ＲＦＩＤリーダライタ機構部２０をＲＦＩＤリーダライタ内臓タブレット・ペン筐体１０に内蔵し、タブレット操作時におけるペンの持ち方を変えることなくタブレット・ペン先１２をＲＦＩＤに向けて情報を読み書きできるよう前記ＲＦＩＤリーダライタ機構部と接続されたＲＦＩＤリーダライタ・アンテナ部２２をペン先付近に内蔵する。【００１４】  また前記ＲＦＩＤリーダライタ機構部がＲＦＩＤから読み込んだ情報、もしくはＲＦＩＤに書き込む情報を、一時的にＲＦＩＤリーダライタ内臓タブレット・ペン内に蓄積するための情報記憶部２４を、タブレット・ペン機構部１４と接続することによって、従来のタブレット通信機能を利用して前記情報記憶部の情報をコンピュータ４０に送信、もしくは前記コンピュータから情報を受信して情報記憶部に蓄積することができる。【００１５】  前記情報記憶部は、あらかじめＲＦＩＤリーダライタ機構部に内蔵し、前記タブレット・ペン機構部と情報を通信してもよい。【００１６】  ＲＦＩＤ対応機能内蔵タブレット・ペンによってＲＦＩＤと送受信するデータを、有線方式によってコンピュータ４０と送受信する場合を図２に示す。ＲＦＩＤリーダライタ内臓タブレット・ペンに内蔵した有線通信部２６は、通信ケーブル３２によってコンピュータと接続されており、シリアル通信をはじめとした各種の通信方式により情報の送受信が可能である。【００１７】  さらにＲＦＩＤ対応機能内蔵タブレット・ペンによってＲＦＩＤと送受信するデータを、無線方式によってコンピュータ４０と送受信する場合を図３に示す。ＲＦＩＤ対応機能内蔵タブレット・ペンに内蔵した無線通信部２８は、赤外線通信を含む各種の無線方式により情報の送受信が可能である。【００１８】  近年では、無線ＬＡＮ機能を搭載したコンピュータが一般的になっており、ＲＦＩＤ対応機能内蔵タブレット・ペンの無線通信部に前記無線ＬＡＮと互換性のあるプロトコルを採用すれば、利用シーンがさらに拡大することも考えられる。【００１９】  前記無線方式についてはプロトコルを特定する必要はなく、携帯電話などの通信を含んで想定するならば、ＲＦＩＤ対応機能内蔵タブレット・ペンを利用しながら遠隔地と情報の授受が容易に可能となり、幅広いビジネスモデルに対応することができる。【００２０】  図１、図２、図３のそれぞれに示した実施形態において、ＲＦＩＤリーダライタ機構部２０が必要とする電力は、ＲＦＩＤ対応機能内蔵タブレット・ペンに図示しない電力蓄積部から供給する以外に、有線によってコンピュータと通信する場合には、該通信ケーブルを利用してコンピュータ側から供給してもよい。【００２１】  上記の他にも、本発明の精神及び範囲内で様々な実施形態が考えられることは言うまでもない。
【図面の簡単な説明】
【００２２】
【図１】  本発明の一実施形態であるＲＦＩＤリーダライタ内臓タブレット・ペンの概略構成図。
【図２】  本発明の一実施形態であるＲＦＩＤリーダライタ内臓タブレット・ペンの概略構成図。
【図３】  本発明の一実施形態であるＲＦＩＤリーダライタ内臓タブレット・ペンの概略構成図。
【符号の説明】
【００２３】１０…ＲＦＩＤリーダライタ内臓タブレット・ペン筐体
１２…タブレット・ペン先
１４…タブレット・ペン機構部
２０…ＲＦＩＤリーダライタ機構部
２２…ＲＦＩＤリーダライタ・アンテナ部
２４…情報記憶部
２６…有線通信部
２８…無線通信部
３０…タブレット通信模式図
３２…有線通信線
３４…無線通信模式図
４０…コンピュータ
【図１】
2006195931.tif 000003
【図２】
2006195931.tif 000004
【図３】
2006195931.tif 000005